(57)【要約】【課題】  取付けネジ部材を緩めても、端子部材が取付けネジ部材と共回りしてしまうのを確実に防止することのできる端子接続構造の提供。【解決手段】  絶縁板に、端子部材とナット部材とを取り付けるための端子接続構造であって、端子部材は、外観視略柱状の雌ネジ要素と、雌ネジ要素の一端部から伸びる雄ネジ要素とを備えるとともに、雌ネジ要素には、その中心軸線上に雌ネジ部が形成される一方、雄ネジ要素には、中心軸線から偏移した軸上に雄ネジ部が形成されるものであり、絶縁板は、１以上の挿通孔を備え、挿通孔は雄ネジ要素を挿通可能な挿通部と、この挿通部の少なくとも一端側には、雌ネジ要素の下端部側に合致した形状の座繰部を有するものであり、雄ネジ要素を挿通部に挿通するとともに、雌ネジ要素の下端部側を座繰部に嵌合した状態で、ナット部材を用いて、これらを締結する端子接続構造。【選択図】  図７
2012124021.tif 000002
【特許請求の範囲】
【請求項１】
絶縁板に、端子部材とナット部材とを取り付けるための端子接続構造であって、
前記端子部材は、外観視略柱状の雌ネジ要素と、前記雌ネジ要素の一端部から伸びる雄ネジ要素とを備えるとともに、前記雌ネジ要素には、その中心軸線上に雌ネジ部が形成される一方、前記雄ネジ要素には、前記中心軸線から偏移した軸上に雄ネジ部が形成されるものであり、
前記絶縁板は、１以上の挿通孔を備え、前記挿通孔は前記雄ネジ要素を挿通可能な挿通部と、この挿通部の少なくとも一端側には、前記雌ネジ要素の下端部側に合致した形状の座繰部を有するものであり、
前記雄ネジ要素を前記挿通部に挿通するとともに、雌ネジ要素の下端部側を前記座繰部に嵌合した状態で、前記ナット部材を用いて、これらを締結することを特徴とする端子接続構造。
【請求項２】
前記雄ネジ要素の一端部から伸びて絶縁板から突出する接続部と、前記接続部に接続されたリード線とを備えることを特徴とする請求項１記載の端子接続構造。
【発明の詳細な説明】
【技術分野】
【０００１】
本発明は、端子部材どうしを電気的に接続する接続部材を、端子部材間で、選択的に切り替えることのできる端子接続構造に関する。
【背景技術】
【０００２】
従来から、端子部材どうしを電気的に接続する接続部材を、端子部材間で、選択的に切り替えることのできる端子接続構造が提案されている。この端子接続構造を、図１０および図１１に示す。これらの図に示すように、端子接続構造は、絶縁板１００に装着した複数の端子部材１０１Ａ，１０１Ｂと、端子部材１０１Ａ，１０１Ｂを絶縁板１００に取付けるナット部材１０２と、端子部材１０１Ａ，１０１Ｂごとに設けた取付けネジ部材１０３と、二つの端子部材１０１Ａ，１０１Ｂどうしを接続する接続部材１０４とを備えている。
【０００３】
各端子部材１０１Ａ，１０１Ｂは同様の構成である。すなわち、雌ネジ要素１０５の一端部に、雌ネジ要素１０５に中心軸線が一致する雄ネジ要素１０６が形成されており、雌ネジ要素１０５の他端部に、雌ネジ要素１０５に中心軸線が一致する雌ネジ部１０７が形成されている。よって、雄ネジ要素１０６と雌ネジ部１０７とは中心軸線を一致させている。
【０００４】
各端子部材１０１Ａ，１０１Ｂは、雄ネジ要素１０６を絶縁板１００に形成した挿通部１００ａに挿通して、絶縁板１００の裏面側から雄ネジ要素１０６にナット部材１０２を螺合して締付けることで装着される。そして接続部材１０４は、二つの端子部材１０１Ａ，１０１Ｂの雌ネジ要素１０５の他端部に渡して、雌ネジ要素１０５の他端部と雌ネジ部１０７に螺合する取付けネジ部材１０３とで挟み込むことで装着される。
【０００５】
上記従来の端子接続構造では、各端子部材１０１Ａ，１０１Ｂに取付けている取付けネジ部材１０３を緩めることで接続部材１０４をフリーにして、それまで接続していた端子部材１０１Ｂから接続部材１０４を外して、図１０の仮想線で示すように、別の端子部材１０１Ｂ（例えば、符号１０１Ｂ１で示す端子部材）に取付けて、接続部材１０４の接続を切り替えるようにしている。
【０００６】
このような端子接続構造の対比として参考となる締結構造に、下記特許文献１に示す技術が挙げられる。これは、雌ネジ要素とこの雌ネジ要素の一端部に形成された雄ネジ要素とを備えたアンカーボルトにおいて、雌ネジ要素の他端部に雌ネジ部を形成して、雄ネジ要素の中心軸線と雌ネジ部の中心軸線とを偏心させた構成である。
【先行技術文献】
【特許文献】
【０００７】
【特許文献１】特開平１０−８９３３４号公報
【発明の概要】
【発明が解決しようとする課題】
【０００８】
図１０，図１１の端子接続構造において、端子部材１０１Ａ，１０１Ｂと絶縁板１００とを、ナット部材１０２を用いて取付けた締付けトルクを超える締付けトルクで、取付けネジ部材１０３を取付けていた場合では、接続部材１０４を別の端子部材１０１Ｂに切り替えるために取付けネジ部材１０３を緩めようとすると、端子部材１０１Ａ，１０１Ｂが取付けネジ部材１０３と共回りしてしまい、取付けネジ部材１０３を緩めることができない。
【０００９】
そこで特許文献１の締結構造を、図１０，図１１の端子接続構造に適用させることが考えられる。しかしながらこの場合でも、端子部材１０１Ａ，１０１Ｂと絶縁板１００とを取付けた締付けトルクを超える締付けトルクで取付けネジ部材１０３を取付けていた場合では、取付けネジ部材１０３を緩めようとしても、端子部材１０１Ａ，１０１Ｂが取付けネジ部材１０３と共回りしてしまい、取付けネジ部材１０３を緩めることができない。
【００１０】
この対策として、端子部材１０１Ａ，１０１Ｂを絶縁板１００に、接着剤を用いて強固に固定したり、端子部材１０１Ａ，１０１Ｂと絶縁板１００とを取付けた締付けトルクを超えないよう、取付けネジ部材１０３のトルク管理をしたりすることで、端子部材１０１Ａ，１０１Ｂが取付けネジ部材１０３と共回りするのを防止している。
【００１１】
しかしながら、端子部材１０１Ａ，１０１Ｂを絶縁板１００に接着剤を用いて固定するのは手間であり、端子部材１０１Ａ，１０１Ｂが取付けネジ部材１０３と共回りしないよう取付けネジ部材１０３の締付けトルクをトルク管理することは難しい。
【００１２】
そこで本発明は上記課題に鑑み、取付けネジ部材を緩めても、端子部材が取付けネジ部材と共回りしてしまうのを確実に防止することのできる端子接続構造の提供を目的とする。
【課題を解決するための手段】
【００１３】
本発明は、絶縁板に、端子部材とナット部材とを取り付けるための端子接続構造であって、前記端子部材は、外観視略柱状の雌ネジ要素と、前記雌ネジ要素の一端部から伸びる雄ネジ要素とを備えるとともに、前記雌ネジ要素には、その中心軸線上に雌ネジ部が形成される一方、前記雄ネジ要素には、前記中心軸線から偏移した軸上に雄ネジ部が形成されるものであり、前記絶縁板は、１以上の挿通孔を備え、前記挿通孔は前記雄ネジ要素を挿通可能な挿通部と、この挿通部の少なくとも一端側には、前記雌ネジ要素の下端部側に合致した形状の座繰部を有するものであり、前記雄ネジ要素を前記挿通部に挿通するとともに、雌ネジ要素の下端部側を前記座繰部に嵌合した状態で、前記ナット部材を用いて、これらを締結することを特徴としている。
【００１４】
上記構成によれば、端子部材の雄ネジ要素が雌ネジ要素の中心軸線に対して偏心し、雌ネジ部が雌ネジ要素の中心軸線と一致しているから、雄ネジ要素の中心軸線と雌ネジ部の中心軸線とは偏心している。そして、端子部材はその雄ネジ要素が絶縁板の挿通部に挿通され、端子部材の雌ネジ要素の一端部側は挿通部に対して偏心させた座繰部に合致して嵌合されている。
【００１５】
したがって、端子部材の他端部と取付けネジ部材とによって挟み込んで取付けた接続部材を他の端子部材に取付けるために、取付けネジ部材を緩める方向に回転させても、端子部材の一端部側の側面が座繰部の側面に当接しているから、端子部材が雄ネジ要素回りに回転せず、したがって、端子部材とナット部材とが共回りすることがない。
【００１６】
また、取付けネジ部材の締付けトルクがナット部材の締付けトルクを超えていたとしても、端子部材の一端部側の側面が座繰部の側面に当接しているから、端子部材が雄ネジ要素回りに回転せず、したがって、端子部材とナット部材とが共回りすることがない。なお、合致するとは、雌ネジ要素の一端部側が、実質的に隙間なく座繰部に嵌合している状態である。
【００１７】
本発明では、前記雄ネジ要素の一端部から伸びて絶縁板から突出する接続部と、前記接続部に接続されたリード線とを備える構成を採用することができる。
【発明の効果】
【００１８】
本発明の端子接続構造では、端子部材の雄ネジ要素が雌ネジ要素の中心軸線と偏心し、雌ネジ部が雌ネジ要素の中心軸線と一致しているから、雄ネジ要素の中心軸線と雌ネジ部の中心軸線とは偏心しており、しかも端子部材を、その雄ネジ要素は絶縁板の挿通部に挿通され、雌ネジ要素の一端部側は挿通部に対して偏心させた座繰部に合致して嵌合されている。このため、取付けネジ部材の締付けトルクがナット部材の締付けトルクを超えていたとしても、端子部材の他端部と取付けネジ部材とによって挟み込んで取付けた接続部材を他の端子部材に取付けるために、取付けネジ部材を緩める方向に回転させても、端子部材の一端部側の側面が座繰部の側面に当接して、端子部材とナット部材が共回りしてしまうのを確実に防止することができる。
【図面の簡単な説明】
【００１９】
【図１】本発明の一実施形態に係る端子接続構造を用いた変圧器の平面図である。
【図２】同端子接続構造を用いた制御部の正面図である。
【図３】同端子接続構造の端子部材の正面図である。
【図４】同端子接続構造の端子部材の平面図である。
【図５】同端子接続構造の絶縁板の一部を表す平面図である。
【図６】同図５におけるＹ−Ｙ線断面図である。
【図７】同絶縁板に端子部材を取付けた状態の一部破断正面図である。
【図８】別の実施形態に係る端子接続構造を表す平面図である。
【図９】同端子接続構造の正面図である。
【図１０】従来例を表す端子接続構造の平面図である。
【図１１】同端子接続構造の正面断面図である。
【発明を実施するための形態】
【００２０】
以下、本発明の一実施形態に係る端子接続構造を図面に基づいて説明する。この端子接続構造は、例えば車両の変圧器（電圧切替部）に用いられる。図１および図２に示すように、前記変圧器は、筐体１と、筐体１に内装された端子接続構造とを備えている。この場合、端子接続構造は、一枚の絶縁板２と、端子接続部３とを備えている。符号１１は筐体１の蓋部材、１２は筐体１に絶縁板２を取付けるためのボルトを示している。
【００２１】
端子接続部３は、絶縁板２に複数個（この場合、三個）の端子部材３０を一列に並べてなる一方の端子部材群３Ａと、この一方の端子部材群３Ａに対して横方向に離間し、複数個（この場合、四個）の端子部材３１を一列に並べてなる他方の端子部材群３Ｂとを備えている。他方の端子部材群３Ｂを構成する端子部材３１は、一方の端子部材群３Ａを構成する端子部材３０に対して横方向に離間させ、且つ前後方向に位置ずれさせて配置されている。
【００２２】
端子接続部３は、一方の端子部材群３Ａを構成する端子部材３０と、他方の端子部材群３Ｂを構成する端子部材３１とを電気的に接続する接続部材５（「接続バー」とも称される）を備えている。また図２に示すように、端子接続部３は、端子部材３０，３１を絶縁板２に装着するためのナット部材６と、端子部材３０，３１に接続部材５を取付けるための取付けネジ部材７，８と、端子部材３０，３１ごとに接続されたリード線９とを備えている。
【００２３】
そして、一方の端子部材群３Ａを構成する各端子部材３０と、他方の端子部材群３Ｂを構成する各端子部材３１とは、接続部材５によって選択的に接続されるよう構成されている。さらに具体的には、一方の端子部材群３Ａを構成する端子部材３０のうちの一個の端子部材３０と、他方の端子部材群３Ｂを構成する端子部材３１のうち隣り合う二個の端子部材３１のうちの一個とが、接続部材５で選択的に接続される構成である。
【００２４】
各端子部材３０，３１は同一の構成であるので、一方の端子部材群３Ａを構成する端子部材３０の説明をもって、一方の端子部材群３Ａの他の端子部材３０、他方の端子部材群３Ｂを構成する各端子部材３１の構成の説明に代える。
【００２５】
ここで、図３は、図１，図２を基準に観れば側面図となるが、図３の方向が端子部材３０の形状的特徴を顕著に表しており、しかも端子部材３０の単体図であることから、正面図として扱っている。なお、このことは、図４ないし図７についても同様である。
【００２６】
図３および図４に示すように、端子部材３０は、雌ネジ要素３００と雄ネジ要素３１０とを備えている。雌ネジ要素３００は外観視略円柱状に形成され、雄ネジ要素３１０は雌ネジ要素３００の一端部（下端面）３００ａに一体的に形成され、一端部３００ａから垂下して形成されている（突出して形成されている）。雄ネジ要素３１０の中心軸線（以下「雄ネジ要素中心軸線」と称す）３１０ａは、雌ネジ要素３００の中心軸線（以下「雌ネジ要素中心軸線」と称す）３００ｂに対して偏心して配置されている。雄ネジ要素３１０の下端部に、下方に伸びて絶縁板２から突出し、リード線９を接続するリード線接続部（接続部に相当する）３１１が形成されている。
【００２７】
なお、雌ネジ要素３００の一端部３００ａおよび雌ネジ要素３００の他端部（上端面）３００ｃは、平面に形成されている。また、雌ネジ要素３００の径は雄ネジ要素３１０の径よりも大きく、雄ネジ要素３１０は雌ネジ要素３００の一端部３００ａの領域内でにあって、下方に突出するよう形成されている。
【００２８】
雌ネジ要素３００の他端部３００ｃに、雌ネジ要素中心軸線３００ｂと一致する中心軸線上に形成した雌ネジ部３２０が形成されている。この雌ネジ部３２０は、雌ネジ要素３００の上下方向途中まで延長されている。具体的には、雌ネジ要素３００の他端部３００ｃから雌ネジ要素３００の高さ方向中央部付近まで穿たれている。
【００２９】
図５ないし図７に示すように、絶縁板２には、各端子部材３０，３１を絶縁板２に装着するための、１以上（端子部材３０，３１に応じた数）の挿通孔２０が形成されている。挿通孔２０の構成は何れも同様であるので、端子部材３０に用いられる一つの挿通孔２０の構成の説明をもって、他の端子部材３１に用いられる挿通孔２０の構成の説明に代える。
【００３０】
挿通孔２０は、端子部材３０の雄ネジ要素３１０が挿通される挿通部２１０と、雌ネジ要素３００の一端部側が装着される座繰部２２０とから形成されている。挿通部２１０および座繰部２２０は、円柱状に形成されて互いに連続しており、挿通部２１０の中心軸線（以下「挿通部中心軸線」と称す）２１０ａと座繰部２２０の中心軸線（以下「座繰部中心軸線」と称す）２２０ａとは偏心している。その偏心量は、雌ネジ要素中心軸線３００ｂおよび雄ネジ要素中心軸線３１０ａの偏心量に等しく設定されている。
【００３１】
したがって、雌ネジ要素中心軸線３００ｂと、座繰部中心軸線２２０ａとが略一致し、雄ネジ要素中心軸線３１０ａと、挿通部中心軸線２１０ａとが略一致するようになっている。特に座繰部２２０は、雌ネジ要素３００の一端部側が合致するよう嵌合する（挿入される）径および形状に形成されている。ここで、「合致する」とは、雌ネジ要素３００の一端部側が、実質的に隙間なく座繰部２２０に嵌合していることである。
【００３２】
図７に示すように、ナット部材６は、端子部材３０において、雄ネジ要素３１０の、挿通部２１０から下方に突出する部分に螺合されている。なお、図７において符号Ｗ１，Ｗ２はワッシャーである。
【００３３】
図１に戻り、前述したように、接続部材５は、一方の端子部材群３Ａを構成する端子部材３０のうちの一個の端子部材３０の他端部３００ｃと、他方の端子部材群３Ｂを構成する端子部材３１のうち隣り合う二個の端子部材３１のうちの一個の端子部材３１の他端部３００ｃに渡すようにして載置されている。接続部材５は板状に形成され、一側寄り（端子部材３０側）に長孔５０が形成され、他側に溝状の凹部５１が形成されている。
【００３４】
そして、取付けネジ部材７が長孔５０を介して一つの端子部材３０の雌ネジ部３２０に螺合され、別の取付けネジ部材８が、選択された一つの端子部材３１の雌ネジ部３２０に凹部５１を介して螺合されている。このようにすることで、接続部材５の各端部は、各端子部材３０，３１の他端部３００ｃと取付けネジ部材７，８とで挟み込まれて固定されている。
【００３５】
上記構成において、挿通孔２０の挿通部２１０に、端子部材３０（３１）の雄ネジ要素３１０を挿通するとともに、端子部材３０（３１）の雌ネジ要素３００を座繰部２２０に嵌合し、絶縁板２から突出した雄ネジ要素３１０にナット部材６を螺着して、所定の締付けトルクで締付ける。このようにして、端子部材３０，３１を絶縁板２に強固に取付ける。
【００３６】
一方の端子部材群３Ａの端子部材３０に接続部材５を介して接続する他方の端子部材群３Ｂの端子部材３１を変更する（切り替える）には、両取付けネジ部材７，８を回転させて緩め、接続部材５の挟み込み状態を解除する。
【００３７】
ここで、端子部材３０，３１の雄ネジ要素３１０は雌ネジ要素中心軸線３００ｂに対して偏心し、雌ネジ部３２０が雌ネジ要素中心軸線３００ｂに一致している。このため、雄ネジ要素中心軸線３１０ａと雌ネジ部３２０の中心軸線（雌ネジ要素中心軸線３００ｂでもある）とは偏心している。しかも端子部材３０，３１の雄ネジ要素３１０は絶縁板２の挿通部２１０に挿通しており、雌ネジ要素３００の一端部側は、挿通部２１０に対して偏心させた座繰部２２０に合致するよう嵌合されている。
【００３８】
このため、取付けネジ部材７，８を緩めるためにこれを回転させると、端子部材３０，３１の一端部側の外側面が座繰部２２０の側面２２０ｂに当接し、取付けネジ部材７，８を回転させる力を受けて端子部材３０，３１を雄ネジ要素３１０回りに回転しないよう支持する。したがって、取付けネジ部材７，８を緩めるために回転させたとしても、端子部材３０，３１と取付けネジ部材７，８（ナット部材６）が共回りすることがない。このことは、仮に取付けネジ部材７，８の締付けトルクがナット部材６の締付けトルクを超えていたとしても同様である。よって、取付けネジ部材７，８を確実に緩めることができる。
【００３９】
そして取付けネジ部材７，８を緩めた後は、取付けネジ部材７を接続部材５の長孔５０のガイドとして接続部材５をスライドさせて、それまで接続していた端子部材３１から離脱させる。その後は上記したようにして、一方の端子部材群３Ａの端子部材３０に対して、他方の端子部材群３Ｂの端子部材３１を、例えば図１の仮想線で示す接続部材５のように、選択的に接続する。
【００４０】
本発明は上記実施形態に限られるものではなく、本発明の主旨を逸脱しない範囲で種々変形が可能である。その他、各部の具体的構成についても本発明の主旨を逸脱しない範囲で種々変形が可能である。
【００４１】
上記実施形態では、端子接続部３は、一方の端子部材群３Ａを構成する、一列に並ぶ端子部材３０のうちの一個と、他方の端子部材群３Ｂを構成する、一列に並ぶ端子部材３１のうちの一個とを電気的に接続する接続部材５を備え、端子部材３０と端子部材３１とを接続部材５によって選択的に接続する端子接続構造を説明した。
【００４２】
しかしながら本発明は、上記実施形態に限定されない。例えば、図８および図９に示すように、一個の端子部材３０と、この端子部材３０を中心とした仮想円上に配置した複数個（この場合九個）の端子部材３１からなる端子部材群３Ｃとを備えた端子接続構造にも適用させることができる。この場合、中心に配置した端子部材３０と、端子部材群３Ｃのうちの一個の端子部材３１とが、接続部材５によって選択的に接続されるよう構成されている。
【００４３】
上記構成では、一個の端子部材３０を共通として、端子部材群３Ｃのうちの何れかを選択して接続部材５で接続する点が、図１ないし図８で説明した実施形態と異なるのみで、座繰部２２０（図５，図７参照）を含めて端子接続構造の他の構成および作用効果は同様であるので、同一の符号を付してその説明を省略する。
【００４４】
また本発明の端子接続構造は、変圧器の電圧切替や、各種装置の接続切替に適用できる。また、本実施形態では、雌ネジ要素の外観形状を略円柱状に形成しているが、これに限られず、例えば、外観視略多角柱形状としたり、略円柱と略多角柱とを組み合わせた柱形状としたりしてもよい。
【符号の説明】
【００４５】
２…絶縁板、３…端子接続部、６…ナット部材、９…リード線、２０…挿通孔、３０，３１…端子部材、５０…長孔、５１…凹部、２１０…挿通部、２２０…座繰部、３００…雌ネジ要素、３００ａ…雌ネジ要素の一端部、３００ｂ……雌ネジ要素中心軸線、３１０…雄ネジ要素、３１０ａ…雄ネジ要素中心軸線、３１１…リード線接続部、３２０…雌ネジ部
【図１】
2012124021.tif 000003
【図２】
2012124021.tif 000004
【図３】
2012124021.tif 000005
【図４】
2012124021.tif 000006
【図５】
2012124021.tif 000007
【図６】
2012124021.tif 000008
【図７】
2012124021.tif 000009
【図８】
2012124021.tif 000010
【図９】
2012124021.tif 000011
【図１０】
2012124021.tif 000012
【図１１】
2012124021.tif 000013